(57)【要約】【課題】  部品形状および構造が簡単で目盛表示の切替えが容易なレンズ装置を提供することである。【解決手段】  操作環を回転させて、フォーカスレンズ、ズームレンズ、絞り、光学フィルタ等の可動光学部材を移動するレンズ装置であって、前記操作環の外周部には、板状の弾性材で形成され、少なくとも片面に目盛が付された目盛部材が着脱可能に装着され、前記目盛部材を前記操作環の外周部に装着する向きにより少なくとも２つの目盛を使用可能とする、ことを特徴とする。【選択図】  図１
2015014638.tif 000002
【特許請求の範囲】
【請求項１】
操作環を回転させて、可動光学部材を移動するレンズ装置であって、
前記操作環の外周部には、板状の弾性材で形成され、少なくとも片面に目盛が付された目盛部材が着脱可能に装着され、前記目盛部材は少なくとも２つの向きで前記操作環の外周部に装着可能である、
ことを特徴とするレンズ装置。
【請求項２】
前記可動光学部材は、フォーカスレンズ、ズームレンズ、絞り、光学フィルタのいずれかであることを特徴とする請求項１に記載のレンズ装置。
【請求項３】
前記目盛部材は表面と裏面で異なる目盛を有し、いずれの面を半径方向外側に向けても前記操作環に装着可能であることを特徴とする請求項１又は２に記載のレンズ装置。
【請求項４】
前記操作環は、操作環の外周部から半径方向に突き出た突起部を有し、
前記目盛部材は、表面と裏面のうち一方の目盛がレンズ装置の半径方向外側に向けて外周部に装着されるときに前記突起部が挿通する第１の位置決め穴と、他方の目盛がレンズ装置の半径方向外側に向けて外周部に装着されるときに前記突起部が挿通する第２の位置決め穴と、を有し、
前記第１の位置決め穴及び前記第２の位置決め穴は、それぞれの目盛において同じ距離をあらわす目盛位置に配設されている、
ことを特徴とする請求項３に記載のレンズ装置。
【請求項５】
前記目盛部材は、片面に２種類の目盛を有し、
前記操作環には、外周部に光軸方向に延出した庇部材が形成され、
前記操作環に前記目盛部材が装着された状態において、前記庇部材は前記目盛部材の目盛の一方をレンズ装置の外周部から覆うように形成される、
ことを特徴とする請求項１又は２に記載のレンズ装置。
【請求項６】
前記操作環は、操作環の外周部から半径方向に突き出た突起部を有し、
前記目盛部材は、一方の目盛が前記庇部材に覆われるように装着されたときに前記突起部が挿通する第１の位置決め穴と、他方の目盛が前記庇部材に覆われるように装着されたときに前記突起部が挿通する第２の位置決め穴と、を有し、
前記第１、第２の位置決め穴は、それぞれの目盛において同じ距離をあらわす目盛位置に配設されている、
ことを特徴とする請求項５に記載のレンズ装置。
【請求項７】
前記操作環の、前記目盛部材の取付面には、前記目盛部材とは異なる目盛を有することを特徴とする、請求項１又は２に記載のレンズ装置。
【請求項８】
前記目盛部材は目盛が形成された面の反対側の面は目盛がない、ことを特徴とする請求項１、２、５、６のいずれか１項に記載のレンズ装置。
【請求項９】
請求項１乃至８のいずれか１項に記載のレンズ装置と、該レンズ装置からの被写体光を受光する撮像素子と、を有する撮像装置。
【発明の詳細な説明】
【技術分野】
【０００１】
本発明は、レンズ装置に関し、特に操作環を操作して可動な光学部材を移動させるレンズ装置およびそれを有する撮像装置に関するものである。
【背景技術】
【０００２】
従来、レンズ装置のフォーカスリングに備えられた目盛表示は、メートル表示とフィート表示があり、カメラマンは自分の好みや撮影での必要に応じて、適当な目盛表示のフォーカスリングを有するレンズを使い分けて使用している。レンズ装置の目盛表示を交換するために、例えば、特許文献１では、フォーカスリング本体の表面に、第１の表示用目盛リング（メートル表示）が着脱自在に取り付けられ、第１の表示用目盛リングとは違う表示形態の第２の表示用目盛リング（フィート表示）と交換可能となっている。
特許文献２では、フォーカスリングの外周部に、フォーカスリングとともに回動する表示手段（液晶）を設け、表示制御手段によって表示手段に表示させる目盛の単位を切り替える切替手段を備えている。
【先行技術文献】
【特許文献】
【０００３】
【特許文献１】特開２００３−５００８号公報
【特許文献２】特開２００７−２９８６７２号公報
【発明の概要】
【発明が解決しようとする課題】
【０００４】
しかしながら、特許文献１に開示された従来技術では、それぞれの目盛りの表示形態に応じて目盛表示のみが異なるリング部品を作製する必要がある。また、交換が想定される場面では、レンズ装置に装着していない他方のリング部品を常に所持しなければならない。上述の特許文献２に開示された従来技術では、外周部の表示手段に通電させる必要があり、レンズ装置の構造が複雑化し、高価になってしまう。
【０００５】
そこで、本発明では、部品形状および構造が簡単で目盛表示の切替えが容易なレンズ装置を提供することを目的とする。
【課題を解決するための手段】
【０００６】
上記目的を達成するための本発明のレンズ装置は、操作環を回転させて、可動光学部材を移動するレンズ装置であって、前記操作環の外周部には、板状の弾性材で形成され、少なくとも片面に目盛が付された目盛部材が着脱可能に装着され、前記目盛部材を前記操作環の外周部に装着する向きにより少なくとも２つの目盛を使用可能とする、ことを特徴とする。
【発明の効果】
【０００７】
本発明によれば、部品形状および構造が簡単で目盛表示の切替えが容易なレンズ装置を提供することができる。その結果、異なる目盛表示を有する複数の専用部品を保持することなく、フォーカス目盛表示の変更を容易に行うことができる。
【図面の簡単な説明】
【０００８】
【図１】第１の実施例のレンズ装置において、フォーカスリングをメートル表示で使用時のレンズ装置の斜視図
【図２】第１の実施例のレンズ装置の主要部拡大断面図
【図３】メートル目盛表示面からみた第１の実施例のフォーカス目盛板の平面図
【図４】フィート目盛表示面からみた第１の実施例のフォーカス目盛板の平面図
【図５】第１の実施例のレンズ装置において、フォーカスリングをフィート表示で使用時のレンズ装置の斜視図
【図６】第２の実施例のレンズ装置の主要部拡大断面図
【図７】第２の実施例のフォーカス目盛板の平面図
【図８】第３の実施例のレンズ装置において、フォーカスリングをメートル表示で使用時のレンズ装置の斜視図
【発明を実施するための形態】
【０００９】
以下に、本発明の好ましい実施の形態を、添付の図面に基づいて詳細に説明する。
【実施例１】
【００１０】
図１は、本発明の第１の実施例のレンズ装置の斜視図である。レンズ装置Ｌ１は固定筒１の外周部にフォーカスリング２１（操作環）とアイリスリング３が回動自在に支持されている。
【００１１】
アイリスリング３の外周面には、絞り値を示す数値が表示されている。アイリスリング３を回動し、アイリスリング３に設けられた所望の絞り値をアイリス指標環４に設けられたアイリス指標線４ａに合せ、レンズ装置Ｌ１に内蔵された絞りユニットを駆動することで、所望の絞り値に設定される。
【００１２】
フォーカスリング２１の外周部には、フォーカス目盛表示を有するフォーカス目盛板５１がフォーカスリング２１の目盛板取付溝２１ａの曲面に沿って曲げられた状態で取り付けられている。フォーカスリング２１を回動し、フォーカス指標環６に設けられたフォーカス指標線６ａにフォーカス目盛板５１に設けられた所望の目盛を合せてフォーカス移動群Ｆを光軸方向に移動することで、フォーカスレンズ（可動光学部材）が光軸方向に移動し、レンズの合焦位置が所望の物体距離に設定される。
【００１３】
なお、フォーカス指標環６、アイリス指標環４、カメラとの接続部となるマウント環７は固定筒１に回動不能に固定されている。
【００１４】
図２〜５を用いて、第１の実施例のレンズ装置のフォーカスリング２１およびフォーカス目盛板５１の形状について説明する。フォーカスリング２１の外周部には、フォーカス目盛板５１を取り付ける目盛板取付溝２１ａ、フォーカス目盛板の位置決めをする位置決め突起部２１ｂが設けられている。また、フォーカスリング２１の外周部には、フォーカス目盛板５１を固定するネジ８ａ、８ｂをねじ込むネジ穴２１ｃ、２１ｄ（不図示）も設けられている。
【００１５】
フォーカス目盛板５１（目盛部材）は弾性材からなる薄い板状であり、一方の面にはメートル目盛、他方の面にはフィート目盛がそれぞれ付されている。本実施例では、メートル目盛を表示している面をメートル表示面５１ａ、フィート目盛を表示している面をフィート表示面５１ｂと表記する。
【００１６】
フォーカス目盛板５１（目盛部材）は、着脱可能にフォーカスリング２１（操作環）に装着され、表面及び裏面（表示面５１ａ、５１ｂ）のいずれの面を半径方向外側に向けても装着可能である。具体的には、レンズ装置をメートル表示で使用する際には、図１のようにメートル表示面５１ａを半径方向外側に向けてフォーカス目盛板５１をフォーカスリング２１に装着する。このとき、フォーカスリングの位置決め突起部２１ｂは、フォーカス目盛板５１のメートル表示用の第１の位置決め穴５１ｃに挿通されている。一方、レンズ装置をフィート表示で使用する際には、図５のようにフィート表示面５１ｂを半径方向外側に向けてフォーカス目盛板５１をフォーカスリング２１に装着される。このとき、フォーカスリング２１の位置決め突起部２１ｂは、フォーカス目盛板５１のフィート表示用の第２の位置決め穴５１ｄに挿通されている。第１、２の位置決め穴５１ｃ，５１ｄを各目盛表示の無限指標（∞）と並行する位置に設けることで、フォーカス目盛板５１の組み直しによる目盛位置のずれを抑制することが可能となる。
【００１７】
ネジ８ａ、８ｂをフォーカス目盛板５１の固定用穴５１ｅ、５１ｆに挿通してフォーカスリング２１のネジ穴２１ｃ、２１ｄ（不図示）にねじ込むことにより、フォーカス目盛板５１はフォーカスリング２２に着脱自在に取り付けられている。したがって、フォーカス目盛板５１以外の部品を外すことなく、フォーカス目盛板５１を装着する向きを２つの向き（裏表）で変更することで、レンズ装置Ｌ１のフォーカス目盛表示を変更することができる。
【００１８】
本実施例によれば、異なる目盛表示を有する複数の専用部品を揃えることなく、フォーカス目盛表示の変更を容易に行うことができる。
【００１９】
なお、本実施例では、フォーカス目盛板の位置決め穴を各目盛表示の無限指標（∞）と並行である位置に配設しているが、各目盛表示で同じ距離となる位置であれば場所は問わない。
【００２０】
また、本実施例では、フォーカス目盛板に目盛表示を設けたが、目盛のない無地板をフォーカスリングに取り付けて使用することもできる。この無地板に、撮影シーンに対応するマークを付けることで、各撮影シーンに対応した合焦距離に合せることが可能となる。
【実施例２】
【００２１】
図６〜７を用いて、本発明の第２の実施例のレンズ装置について説明する。第２の実施例では、フォーカスリング２２の外周部に略光軸方向に延出した環状の庇部材２２ｅが構成されており、庇部材２２eはレンズの装置Ｌ２の外側からフォーカス目盛板５２の一部を覆っている。
【００２２】
フォーカス目盛板５２は、片面にメートル目盛およびフィート目盛の２種類の目盛が付され、もう一方の面は目盛が付されていない無地の面である。本実施例では、メートル目盛が表示されている範囲をメートル表示範囲５２ａ、フィート目盛が表示されている範囲をフィート表示範囲５２ｂと表記する。本実施例のフォーカス目盛板５２には、各目盛表示の無限指標（∞）と並行する位置に第１、２の位置決め穴５２ｃ，５２ｄが設けられているが、本発明の構成において第１、２の位置決め穴５２ｃ，５２ｄの位置はこれに限定されることはない。また、フォーカス目盛板５２をフォーカスリング２２に固定する固定用穴５２ｅ、５２ｆ、５２ｇ、５２ｈも設けられている。
【００２３】
レンズ装置Ｌ２をメートル表示で使用する際には、メートル表示範囲５２ａがフォーカス指標線環６側となる向きでフォーカス目盛板５２をフォーカスリング２２に取り付ける。その際、フィート表示範囲５２ｂはフォーカス目盛板５２の外側から庇部材２２ｅに覆われるため、レンズ装置Ｌ２の半径方向外側からは視認できない。このとき、フォーカスリング２２の位置決め突起部２２ｂは、フォーカス目盛板５２のメートル表示用の位置決め穴５２ｃに挿通されている。また、ネジ８ａ、８ｂをフォーカス目盛板５２の固定用穴５２ｅ、５２ｆに挿通して、フォーカス目盛板５２はフォーカスリング２２に取り付けられる。
【００２４】
一方、レンズ装置Ｌ２をフィート表示で使用する際には、フィート表示範囲５２ｂがフォーカス指標線環６側となる向きでフォーカス目盛板５２をフォーカスリング２２に取り付ける。その際、メートル表示範囲５２ａはフォーカス目盛板５２の外側から庇部材２２ｅに覆われるため、レンズ装置Ｌ２の半径方向外側からは視認できない。このとき、フォーカスリング２２の位置決め突起部２２ｂは、フォーカス目盛板５２のフィート表示用の位置決め穴５２ｄに挿通されている。また、ネジ８ａ、８ｂをフォーカス目盛板５２の固定用穴５２ｇ、５２ｈに挿通して、フォーカス目盛板５２はフォーカスリング２２に取り付けられる。
【００２５】
フォーカス目盛板５２の無地面５２ｋ（不図示）をレンズ装置Ｌ２の外側向きに取り付けることもできる。無地面５２ｋに撮影シーンに対応するマークを付けることで、各撮影シーンに対応した合焦距離に合せることが可能となる。
【００２６】
第２の実施例によれば、異なる目盛表示を有する複数の専用部品および無地板を揃えることなく、フォーカス目盛板５２を装着する向きを２つの向き（光軸方向前後）で変更することで、フォーカス目盛表示の切り替えおよび無地面表示への変更を容易に行うことができる。
【００２７】
なお、第２の実施例では、フォーカス目盛板の片面をフォーカス目盛表示面、もう一方の面を無地面としたが、一方の目盛表示を反対側の面に移動すれば、取り付ける向きによって無地範囲と目盛表示を切り替えることが可能である。
【実施例３】
【００２８】
図８を用いて、本発明の第３の実施例のレンズ装置について説明する。図８は第３の実施例のレンズ装置Ｌ３にフォーカス目盛板を取り付けていない状態の斜視図である。第３の実施例では、一の目盛表示（例えば、メートル表示）をフォーカスリング２３のフォーカス目盛板取付面２３ａに形成し、他の目盛表示（例えば、フィート表示）をフォーカス目盛板５３（不図示）に形成している。フォーカスリング２３の外周部には、目盛板取付溝２３ａ、位置決め突起部２３ｂ、フォーカス目盛板を取り付けるためのネジ穴２３ｃ、２３ｄが設けられている。
【００２９】
第３の実施例によれば、フォーカス目盛板の取り付けの有無によって、フォーカス目盛表示を切り替えることができる。
以上、本発明の好ましい実施形態について説明したが、本発明はこれらの実施形態に限定されず、その要旨の範囲内で種々の変形及び変更が可能である。例えば、上記の実施例を組み合わせて、少なくとも２つの目盛を、或いは３以上の目盛を使い分けることができるようにしてもよい。より具体的には、第１の実施例の裏表に目盛が付された目盛板であって、かつ、第２の実施例のような同一面上で光軸方向前後側に付された２つの目盛を有する目盛板を使用して、３または４種類の目盛を使用可能としてもよい。
【００３０】
また、例示した実施例は、フォーカスレンズの距離の目盛表示に対し本発明を適用したものであるが、本発明はこれに限定されることはない。ズームレンズ、絞りに対する適用、或いは、光学フィルタの光軸回りでの回転角度等に対しても同様に適用して、本発明の効果を得ることができる。
【００３１】
また、上記した本発明の実施例のいずれかのレンズ装置と、レンズ装置からの被写体光を受光する撮像素子と、を含む撮像装置を構成することによって、本発明の効果を奏する撮像装置を実現することができる。
【００３２】
上記各実施例によれば、部品形状および構造が簡単で目盛表示の切替えが容易なレンズ装置を提供することができる。
【符号の説明】
【００３３】
Ｌ１、Ｌ２、Ｌ３  レンズ装置
Ｆ  フォーカス移動群（可動光学部材）
２１、２２、２３  操作環
５１、５２、５３  フォーカス目盛板（目盛部材）
【図１】
2015014638.tif 000003
【図２】
2015014638.tif 000004
【図３】
2015014638.tif 000005
【図４】
2015014638.tif 000006
【図５】
2015014638.tif 000007
【図６】
2015014638.tif 000008
【図７】
2015014638.tif 000009
【図８】
2015014638.tif 000010